(57)【要約】【課題】格別な手間やスペースを必要とせず、密着型イメージセンサーに対する振動や衝撃の影響を低減させる。【解決手段】画像読取装置１１は、コンタクトガラス上の原稿の画像を読取る密着型イメージセンサー３４と、密着型イメージセンサー３４を支持するホルダー４１と、ホルダー４１を副走査方向に移動自在に案内するガイドレール４３と、ガイドレール４３の両側に振り分けられてホルダー４１に設けられ、密着型イメージセンサー３４を、スペーサーを介してコンタクトガラスに当接させる一対のコイルバネ５１と、ガイドレール４３の両側に振り分けられて密着型イメージセンサー３４とホルダー４１の間に設けられた一対の発泡合成樹脂片５３と、を備える。【選択図】図５
2019012957.tif 000002
【特許請求の範囲】
【請求項１】
コンタクトガラス上の原稿の画像を、該コンタクトガラスを通じて主走査方向に読取る密着型イメージセンサーと、
前記密着型イメージセンサーを前記コンタクトガラスに対する接離方向に移動自在に支持するホルダーと、
前記ホルダーを主走査方向と直交する副走査方向に移動自在に案内する案内部と、
前記案内部の主走査方向両側に振り分けられて前記ホルダーに設けられ、前記密着型イメージセンサーを前記コンタクトガラスに対する接近方向に付勢して、該密着型イメージセンサーを、スペーサーを介して前記コンタクトガラスに当接させる一対の第１弾性部材と、
前記案内部の主走査方向両側に振り分けられて前記密着型イメージセンサーと前記ホルダーの間に設けられた一対の第２弾性部材と、を備える画像読取装置。
【請求項２】
前記第２弾性部材は、主走査方向において前記第１弾性部材よりも前記案内部の中央部側に配設されている請求項１に記載の画像形成装置。
【請求項３】
前記付勢による前記第１弾性部材の伸縮の幅は、前記第２弾性部材の弾性による伸縮の幅よりも大きく設定されている請求項１又は請求項２に記載の画像形成装置。
【請求項４】
前記密着型イメージセンサーの上面両端部には、スペーサーがそれぞれ設けられ、前記密着型イメージセンサーが、前記各スペーサーを介して前記第１弾性部材の付勢力により前記コンタクトガラスに押し付けられている請求項１乃至請求項３のいずれかに記載の画像形成装置。
【請求項５】
主走査方向において前記案内部の中央部から端部に向かって、前記第２弾性部材、前記第１弾性部材、前記スペーサーの順に配設されている請求項４に記載の画像形成装置。
【請求項６】
前記第１弾性部材は、ばねである請求項１乃至請求項５のいずれかに記載の画像読取装置。
【請求項７】
前記第２弾性部材は、発泡合成樹脂である請求項１乃至請求項６のいずれかに記載の画像読取装置。
【請求項８】
前記第１弾性部材の振動に係る共振周波数と、前記第２弾性部材の振動に係る共振周波数が互いに異なる請求項１乃至請求項７のいずれかに記載の画像読取装置。
【請求項９】
請求項１乃至請求項８のいずれかに記載の画像読取装置と、
前記画像読取装置により読取られた原稿の画像を記録紙に形成する画像形成部と、を備えた画像形成装置。
【発明の詳細な説明】
【技術分野】
【０００１】
本発明は、原稿の画像を読取るための密着型イメージセンサーを備える画像読取装置及び画像形成装置に関し、特に密着型イメージセンサーを支持するための技術に関する。
【背景技術】
【０００２】
画像読取装置では、密着型イメージセンサーをコンタクトガラスに近接配置した状態で、密着型イメージセンサーによりコンタクトガラスを通じて原稿の画像を読取る。しかしながら、装置の輸送中に生じた衝撃や振動などにより、密着型イメージセンサーがコンタクトガラスに衝突して、密着型イメージセンサーやコンタクトガラスが破損する恐れがある。
【０００３】
このため、特許文献１では、密着型イメージセンサーを搭載したキャリッジを装置本体フレームの一端側の所定位置まで移動させ、固定ビスを装置本体フレームの孔を介してキャリッジにねじ込んで、キャリッジを固定し、密着型イメージセンサーに対する振動や衝撃の影響を低減させている。
【０００４】
また、特許文献２では、密着型イメージセンサーを搭載したセンサフレームを支持するキャリッジを待機位置に移動させ、装置本体フレーム側の突起部をセンサフレームに接近もしくは当接させて、センサフレームの移動を制限し、密着型イメージセンサーに対する振動や衝撃の影響を低減させている。
【先行技術文献】
【特許文献】
【０００５】
【特許文献１】特開２００３−７５９３２号公報
【特許文献２】特開２０１６−１２７３３１号公報
【発明の概要】
【発明が解決しようとする課題】
【０００６】
しかしながら、特許文献１及び特許文献２のいずれにおいても、キャリッジを所定位置又は待機位置に移動させねばならないため、キャリッジが所定位置又は待機位置から離れたときには、つまり画像読取装置の稼働時には、密着型イメージセンサーに対する振動や衝撃の影響を低減させることができない。
【０００７】
また、特許文献１では、画像読取装置の使用開始前に固定ビスを取り外す必要があって、手間がかかる。
【０００８】
また、特許文献２では、装置本体フレーム側の突起部及び該突起部に接近もしくは当接されるセンサフレーム側の凹所を設けるためのスペースが必要であって、これが装置の大型化の原因となる。
【０００９】
本発明は、上記の事情に鑑みなされたものであり、格別な手間やスペースを必要とせず、装置の輸送時及び稼働時のいずれにおいても密着型イメージセンサーに対する振動や衝撃の影響を低減させることを目的とする。
【課題を解決するための手段】
【００１０】
本発明の一局面に係る画像読取装置は、コンタクトガラス上の原稿の画像を、該コンタクトガラスを通じて主走査方向に読取る密着型イメージセンサーと、前記密着型イメージセンサーを前記コンタクトガラスに対する接離方向に移動自在に支持するホルダーと、前記ホルダーを主走査方向と直交する副走査方向に移動自在に案内する案内部と、前記案内部の主走査方向両側に振り分けられて前記ホルダーに設けられ、前記密着型イメージセンサーを前記コンタクトガラスに対する接近方向に付勢して、該密着型イメージセンサーを、スペーサーを介して前記コンタクトガラスに当接させる一対の第１弾性部材と、前記案内部の主走査方向両側に振り分けられて前記密着型イメージセンサーと前記ホルダーの間に設けられた一対の第２弾性部材と、を備えるものである。
【００１１】
また、本発明の一局面に係る画像形成装置は、上記本発明の画像読取装置と、前記画像読取装置の読取部により読取られた原稿の画像を記録紙に形成する画像形成部と、を備えるものである。
【発明の効果】
【００１２】
本発明によれば、格別な手間やスペースを必要とせず、装置の輸送時及び稼働時のいずれにおいても密着型イメージセンサーに対する振動や衝撃の影響を低減させることができる。
【図面の簡単な説明】
【００１３】
【図１】本発明の一実施形態に係る画像読取装置を備える画像形成装置を示す断面図である。
【図２】本実施形態の画像読取装置を示す断面図である。
【図３】画像読取装置における読取部の外観を示す斜視図である。
【図４】読取部の内部構成を示す斜視図である。
【図５】読取部を示す断面図である。
【図６】図５における範囲Ｉを拡大して示す断面図である。
【図７】図５における範囲II拡大して示す断面図である。
【図８】図５における範囲IIIを拡大して示す断面図である。
【発明を実施するための形態】
【００１４】
以下、本発明の実施形態について図面を参照して説明する。
【００１５】
図１は、本発明の画像読取装置の一実施形態を適用した画像形成装置を示す断面図である。この画像形成装置１０は、例えば、コピー機能、プリンター機能、スキャナー機能、及びファクシミリ機能のような複数の機能を兼ね備えたＭＦＰ（複合機）である。この画像形成装置１０は、本実施形態の画像読取装置１１と、画像形成部１２とを備えている。
【００１６】
画像読取装置１１は、原稿の画像を光学的に読み取る撮像素子を有しており、この撮像素子のアナログ出力がデジタル信号に変換されて、原稿の画像を示す画像データが生成される。
【００１７】
画像形成部１２は、上記画像データ又は外部から受信した画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、中間転写ベルト５に転写する。これにより、カラーのトナー像（画像）が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１８】
この後、定着装置１５で記録紙Ｐが加熱及び加圧されて、記録紙Ｐ上のトナー像が熱圧着により定着され、更に記録紙Ｐが排出ローラー対１６を通じて排出トレイ１７に排出される。
【００１９】
次に、本実施形態の画像読取装置１１の概略構成を説明する。図２は、画像読取装置１１を概略的に示す断面図である。
【００２０】
図２に示すように、画像読取装置１１は、原稿搬送部２０及び読取部３０を備えている。原稿搬送部２０は、原稿給紙トレイ２２、ピックアップローラー２５、搬送ローラー２６、排紙ローラー２７、原稿排出トレイ２８、及び白色板３３等を備えている。また、読取部３０は、第１コンタクトガラス３１、第２コンタクトガラス３２、及び密着型イメージセンサー（CIS; Contact Image Sensor）３４等を備えている。
【００２１】
ここで、読取部３０の上面の一端部には、２つのヒンジ３８（図３に示す）が離間して設けられており、これらのヒンジ３８により原稿搬送部２０が開閉可能に軸支されて、利用者による原稿搬送部２０の開閉操作が可能にされている。
【００２２】
原稿搬送部２０が開かれたときには、読取部３０の第１コンタクトガラス３１及び第２コンタクトガラス３２が開放されて、読取部３０の第２コンタクトガラス３２上に原稿を載置することができ、原稿搬送部２０が閉じられると、原稿搬送部２０により第２コンタクトガラス３２上に載置された原稿ＭＳ２が押さえられる。読取部３０では、密着型イメージセンサー３４を副走査方向Ｘに移動させつつ、密着型イメージセンサー３４に内蔵の光源の光を、第２コンタクトガラス３２を介して原稿ＭＳ２に照射し、原稿ＭＳ２で反射された光を密着型イメージセンサー３４に内蔵のラインセンサーに入射させ、このラインセンサーにより原稿ＭＳ２の画像を主走査方向Ｙ（副走査方向Ｘと直交する方向）に繰り返し読取る。
【００２３】
また、原稿搬送部２０が閉じられた状態で、原稿搬送部２０により原稿給紙トレイ２２に載置された原稿ＭＳ１が１枚ずつ引出されて、原稿ＭＳ１が読取部３０の白色板３３と第１コンタクトガラス３１の間を通じて副走査方向に搬送される。読取部３０では、密着型イメージセンサー３４を第１コンタクトガラス３１の下側に位置決めし、密着型イメージセンサー３４に内蔵の光源の光を、第１コンタクトガラス３１上を通過する原稿ＭＳ１に照射し、原稿ＭＳ１で反射された光を密着型イメージセンサー３４に内蔵のラインセンサーに入射させ、このラインセンサーにより原稿ＭＳ１の画像を主走査方向Ｙに繰り返し読取らせる。
【００２４】
次に、画像読取装置１１の読取部３０における密着型イメージセンサー３４の支持構造を詳しく説明する。図３は、読取部３０の外観を示す斜視図である。また、図４は、読取部３０の内部構造を示す斜視図であり、第１コンタクトガラス３１及び第２コンタクトガラス３２などが設けられた天板を取り外した状態を示している。また、図５は、読取部３０を示す断面図である。更に、図６は、図５における範囲Ｉを拡大して示す断面図であり、図７は、図５における範囲IIを拡大して示す断面図であり、図８は、図５における範囲IIIを拡大して示す断面図である。
【００２５】
図３乃至図８に示すように読取部３０において、密着型イメージセンサー３４は、主走査方向Ｙに長い筐体状のホルダー４１の内側に配置されている。このホルダー４１の上側が開口部となっており、密着型イメージセンサー３４がその開口部より入れられて該ホルダー４１の内側に配置される。
【００２６】
ホルダー４１の下側には、キャリッジ４２が固定されており、このキャリッジ４２の下側面に、副走査方向Ｘに延びるガイド凹部４２Ａが形成されている。主走査方向Ｙにおいては、ガイド凹部４２Ａが密着型イメージセンサー３４の中央部位に重なる位置に形成されている。
【００２７】
また、読取部３０の本体筐体４６の底部には、副走査方向Ｘに延びるガイドレール（特許請求の範囲における案内部の一例）４３、副走査方向Ｘに離間した一対のプーリ４４、及び該各プーリ４４間に懸架されて、ガイドレール４３と並行に配置された無端状ベルト４５などが設けられている。
【００２８】
ガイドレール４３は、キャリッジ４２の副走査方向Ｘに延びるガイド凹部４２Ａに嵌合されて、キャリッジ４２を副走査方向Ｘに移動自在に支持して案内する。
【００２９】
無端状ベルト４５は、キャリッジ４２の副走査方向Ｘに延びる溝４２Ｂに通されて、このキャリッジ４２に接続されている。
【００３０】
各プーリ４４の一方がモーター（図示せず）により回転駆動されて、無端状ベルト４５が該各プーリ４４間を周回移動し、該各プーリ４４の他方が従動回転する。これに伴い、無端状ベルト４５に接続されたキャリッジ４２が副走査方向Ｘに移動され、ホルダー４１並びに密着型イメージセンサー３４も副走査方向Ｘに移動される。
【００３１】
上記モーターの回転方向、回転位置、及び回転速度が、制御部（図示せず）により制御されて、密着型イメージセンサー３４の移動方向、位置、及び移動速度が制御される。
【００３２】
一方、密着型イメージセンサー３４は、上下方向移動自在にホルダー４１の内側に配置されて支持されている。また、ホルダー４１の底部には、一対のコイルバネ５１が設けられている。これらのコイルバネ５１は、特許請求の範囲における第１弾性部材の一例である。
【００３３】
これらのコイルバネ５１は、ガイドレール４３の主走査方向Ｙの両側に振り分けられてホルダー４１に設けられている。そして、各コイルバネ５１が密着型イメージセンサー３４の底面により押圧されて圧縮された状態で、密着型イメージセンサー３４がホルダー４１の内側に配置されており、各コイルバネ５１の付勢力により、密着型イメージセンサー３４が第１コンタクトガラス３１及び第２コンタクトガラス３２に接近する方向に付勢されている。
【００３４】
また、密着型イメージセンサー３４の上面両端部には、それぞれのスペーサー５２が設けられている。このため、密着型イメージセンサー３４は、各コイルバネ５１の付勢力により各スペーサー５２を介して第１コンタクトガラス３１又は第２コンタクトガラス３２に押し付けられる。これにより、密着型イメージセンサー３４と第１コンタクトガラス３１又は第２コンタクトガラス３２の間には、各スペーサー５２の厚み分の間隙が常に保たれる。
【００３５】
従って、上記のように密着型イメージセンサー３４を副走査方向Ｘに移動させつつ、密着型イメージセンサー３４により第２コンタクトガラス３２上に載置された原稿ＭＳ２の画像を読取るとき、及び原稿搬送部２０により原稿ＭＳ２を搬送しつつ、密着型イメージセンサー３４により第１コンタクトガラス３１上を通過する原稿ＭＳ２の画像を読取るときのいずれにおいても、密着型イメージセンサー３４と原稿ＭＳ２の離間距離が一定に保たれる。
【００３６】
ところで、密着型イメージセンサー３４が上下方向移動可能に支持されているので、画像形成装置１０又は画像読取装置１１の輸送中や稼働中に生じた衝撃や振動などにより、密着型イメージセンサー３４がガタついて第１コンタクトガラス３１又は第２コンタクトガラス３２に衝突し、密着型イメージセンサー３４やコンタクトガラスが破損する恐れがある。
【００３７】
上記のように各コイルバネ５１により密着型イメージセンサー３４の上側両端部の各スペーサー５２を第１コンタクトガラス３１又は第２コンタクトガラス３２に押し付けてはいるものの、密着型イメージセンサー３４の各スペーサー５２が第１コンタクトガラス３１の表面及び第２コンタクトガラス３２の表面に当接しつつ容易に移動できるように、各コイルバネ５１の付勢力を適宜小さく設定している。このため、振動や衝撃が生じたときには、密着型イメージセンサー３４が各コイルバネ５１の付勢力に抗して上下方向に振動して、密着型イメージセンサー３４の各スペーサー５２が第１コンタクトガラス３１の表面及び第２コンタクトガラス３２の表面を叩くという現象が生じ、密着型イメージセンサー３４やコンタクトガラスなどが破損する恐れがある。
【００３８】
そこで、本実施形態では、図５、図６、及び図８に示すように一対の発泡合成樹脂片５３を、ガイドレール４３の主走査方向Ｙの両側に振り分けて、密着型イメージセンサー３４とホルダー４１の間に挿入している。これらの発泡合成樹脂片５３は、特許請求の範囲における第２弾性部材の一例である。
【００３９】
これらの発泡合成樹脂片５３が弾性を有するので、画像形成装置１０又は画像読取装置１１の輸送中や稼働中に、振動や衝撃が生じて、密着型イメージセンサー３４が各コイルバネ５１の付勢力に抗して上下方向に振動しようとしても、各発泡合成樹脂片５３が、密着型イメージセンサー３４に圧接して、該密着型イメージセンサー３４の振動を吸収して抑制する。このため、密着型イメージセンサー３４やコンタクトガラスなどが破損することはない。なお、上記付勢力によるコイルバネ５１の伸縮の幅（ストローク）は、発泡合成樹脂片５３の弾性による伸縮の幅（ストローク）よりも大きく設定されている。
【００４０】
ここで、各発泡合成樹脂片５３としては、制振性に優れた材質ものを適用するのが好ましい。
【００４１】
また、各発泡合成樹脂片５３の代わりに、他の種類の第２弾性部材を適用しても構わない。例えば、ゴム、発泡ゴム、バネなどを適用することができる。いずれの種類の第２弾性部材であっても、第２弾性部材の振動に係る共振周波数を、コイルバネ（第１弾性部材）５１の振動に係る共振周波数とは異なるようにする。例えば、第１及び第２弾性部材のサイズや材質の設定により第１及び第２弾性部材の振動に係るそれぞれの共振周波数を調節する。これにより、各コイルバネ５１が共振するような周波数の振動が画像読取装置１１に生じたとしても、第２弾性部材により該振動が抑制される。逆に、第２弾性部材が共振するような周波数の振動が画像読取装置１１に生じたとしても、各コイルバネ５１により該振動が抑制される。この結果、共振による異常振動、破損を防ぐことができる。
【００４２】
尚、上記実施形態では、本発明に係る画像形成装置としてカラー複合機を用いて説明しているが、これは一例に過ぎず、モノクロ複合機や他の電子機器、例えば、コピー機、ファクシミリ装置等の他の画像形成装置でもよい。
【００４３】
また、図１乃至図８を用いて説明した上記実施形態の構成は、本発明の一例に過ぎず、本発明を当該構成及び処理に限定する趣旨ではない。
【符号の説明】
【００４４】
１０          画像形成装置
１１          画像読取装置
１２          画像形成部
２０          原稿搬送部
３０          読取部
３４          密着型イメージセンサー
４１          ホルダー
４２          キャリッジ
４３          ガイドレール
４４          プーリ
４５          無端状ベルト
４６          本体筐体
５１          コイルバネ
５２          スペーサー
５３          発泡合成樹脂片
【図１】
2019012957.tif 000003
【図２】
2019012957.tif 000004
【図３】
2019012957.tif 000005
【図４】
2019012957.tif 000006
【図５】
2019012957.tif 000007
【図６】
2019012957.tif 000008
【図７】
2019012957.tif 000009
【図８】
2019012957.tif 000010